(57)【要約】【課題】良好な盗難防止効果を果たすことの可能な指針式錠を提供すること。【解決手段】指針式錠はハウジング、掛け金３０、係止機構４０、第一〜三指針５０、５２、５４、調整機構６０を備える。ハウジングは収容室２０２、第一孔２０４、第二孔２０６、表示面２６、透明なカバー２８、暗証番号２６２を有する。掛け金３０は接続部３２、ストッパー３４とフック３６とを有する。接続部３２は第一孔２０４を通り収容室２０２に入り、軸方向に沿いハウジングに向き合い上下移動および回転可能である。フック３６の端部は第二孔２０６を貫通する。第一〜三指針５０、５２、５４が正確な暗証番号２６２を指し、係止部４１の嵌合部４１２がつめ車装置４７の嵌合溝４７２に嵌め込まれると、ストッパー４２の連結端４２２が移動し制止端４２４は掛け金３０のストッパー３４を遮らなくなり、掛け金３０の接続部３２を移動しフック３６を第二孔２０６から分離できる。【選択図】図２
0003139599.tif 000002
【実用新案登録請求の範囲】
【請求項１】
収容室と、収容室へと連続する第一孔と、収容室へと連続する第二孔と、頂面に配置される表示面とを有し、前記表示面は複数の暗証番号を有するハウジングと、
接続部とフック端部とを有し、前記接続部は軸方向に沿い回転・移動しながら前記ハウジングの前記第一孔を貫通し、かつ前記ハウジングの前記収容室に入り込むように設けられ、前記フック端部は前記ハウジングの前記第二孔を貫通するように設けられる掛け金と、
前記ハウジングの前記収容室内に装着され、かつ前記掛け金の前記接続部の軸方向移動を制御可能な駆動輪を複数有する係止機構と、
前記ハウジングの前記表示面の上方に位置付けられ、かつ別々に前記係止機構の複数の前記駆動輪の制御を受けて前記表示面の任意の複数の前記暗証番号を指し示すことが可能な複数の指針と、
を備え、複数の前記指針が指し示した前記暗証番号が正確である場合、前記係止機構の複数の前記駆動輪は前記掛け金の前記接続部を軸方向に沿い移動させ、前記掛け金の前記フック端部を前記ハウジングの前記第二孔から分離させることにより開錠可能であることを特徴とする指針式錠。
【請求項２】
前記係止機構は係止部、ストッパー、複数の伝動輪と複数のつめ車装置を有し、前記係止部は移動可能なように前記ハウジングの前記収容室内に装着され、かつ複数の嵌合部を有し、前記ストッパーは前記係止部に連結され、かつ前記係止部に伴い連動することにより前記掛け金の前記接続部に向かい合いながら移動可能であり、複数の前記伝動輪は同軸方向上に互いに連結され、かつ別々に複数の前記駆動輪と複数の前記指針に連結されるため、複数の前記伝動輪は複数の前記駆動輪に伴い連動することにより複数の前記指針を回転可能であり、複数の前記つめ車装置は嵌合溝を別々に有し、かつ別々に同軸方向上、複数の前記伝動輪に連結されるため、複数の前記伝動輪に伴い回転可能であり、また複数の前記指針が正確な前記暗証番号を指し示し、前記係止部の前記嵌合部が前記つめ車装置の前記嵌合溝中に嵌め込まれる場合、前記ストッパーは前記係止部の制御を受けて前記掛け金の前記接続部から離れる方向に沿い移動することで前記掛け金の前記接続部を遮断することがなくなるため、前記掛け金の前記接続部は軸方向に沿い移動可能であり、また複数の前記指針が間違った前記暗証番号を指し示し、前記係止部の前記嵌合部と前記つめ車装置の前記嵌合溝とが分離する場合、前記ストッパーは前記係止部の制御を受けて前記掛け金の前記接続部の方向に沿い移動することで前記掛け金の前記接続部を遮断するため、前記掛け金の前記接続部は軸方向に沿い移動できなくなることを特徴とする請求項１に記載の指針式錠。
【請求項３】
前記係止機構の前記伝動輪は歯車と前記歯車に連結される軸部とを有し、複数の前記伝動輪の前記歯車は別々に複数の前記駆動輪と噛み合うように設けられ、複数の前記伝動輪の前記軸部は別々に前記ハウジングの前記表示面を貫通し、複数の前記指針に連結され、かつ前記伝動輪の前記軸部の一つが別の前記伝動輪の前記軸部に被せられるように設けられることを特徴とする請求項２に記載の指針式錠。
【請求項４】
前記掛け金は前記係止機構の前記ストッパーとは別のストッパーを有し、前記別のストッパーは前記接続部の底端に装着されるため前記係止機構の前記ストッパーの遮断を受けることを特徴とする請求項２に記載の指針式錠。
【請求項５】
前記係止部は斜面溝を有し、前記斜面溝の頂端から前記掛け金の前記接続部までの距離は前記斜面溝の底端から前記掛け金の前記接続部までの距離より大きく、前記係止部の前記ストッパーは連結端と制止端を有し、前記連結端は前記係止部の前記斜面溝中に差し込まれ、前記係止部の前記斜面溝の両端の間を移動することにより、前記係止部の前記制止端を前記掛け金の前記接続部に接近させたり離れさせたりすることが可能であることを特徴とする請求項２に記載の指針式錠。
【請求項６】
前記係止機構はさらにばねを有し、前記ばねは前記ハウジングの前記収容室の周壁と前記係止機構の前記係止部に別々に突き当たるように前記ハウジングの前記収容室内に装着されることを特徴とする請求項２に記載の指針式錠。
【請求項７】
前記指針式錠はさらに調整機構を有し、前記係止部は係止溝を有し、前記調整機構は前記ハウジングの前記収容室内に装着され、かつ前記係止部に向かい合いながら第一位置と第二位置との間を移動可能であり、前記調整機構が前記第一位置に据えられる場合、前記調整機構と前記係止部の前記係止溝とが分離し、前記調整機構が前記第二位置に据えられる場合、前記調整機構は前記係止部の前記係止溝に嵌め込まれることを特徴とする請求項２に記載の指針式錠。
【請求項８】
前記調整機構はスライドを有し、前記スライドは突出部を有し、前記調整機構が前記第一位置に据えられる場合、前記スライドの前記突出部と前記係止部の前記係止溝とが分離し、前記調整機構が前記第二位置に据えられる場合、前記スライドの前記突出部は前記係止部の前記係止溝に嵌め込まれることを特徴とする請求項７に記載の指針式錠。
【請求項９】
一端が前記ハウジングの底部に連結され、他端が湾曲して外部へ延伸されるベルトを含むことを特徴とする請求項１に記載の指針式錠。
【請求項１０】
前記係止機構の前記駆動輪の数は三つであり、かつ、前記係止機構は三つの伝動輪を有し、前記指針の数も三つであり、三つの前記伝動輪は別々に三つの前記駆動輪と噛み合い、かつ別々に三つの前記指針に連結されることを特徴とする請求項１に記載の指針式錠。
【請求項１１】
収容室と、前記収容室へと連続する第一孔と、前記収容室へと連続する第二孔と、頂面に配置される表示面とを有し、前記表示面は複数の暗証番号を有するハウジングと、
接続部とフック端部とを有する掛け金であって、前記接続部は軸方向に沿い回転・移動しながら前記ハウジングの前記第一孔を貫通し、前記ハウジングの前記収容室に入り込むように設けられ、前記フック端部は前記ハウジングの前記第二孔を貫通するように設けられる前記掛け金と、
移動可能なように前記ハウジングの収容室内に装着され、かつ複数の嵌合部を有する係止部と、
前記係止部に連結され、かつ前記係止部に伴い連動することにより前記掛け金の前記接続部に向かい合いながら移動可能であるストッパーと、
回転可能なように前記ハウジングの前記収容室内に装着される複数の駆動輪と、
同軸方向上、互いに連結され、かつ別々に複数の前記駆動輪と噛み合うため複数の前記駆動輪の回転に伴い回転可能である複数の伝動輪と、
前記ハウジングの前記表示面の上方に位置するように複数の前記伝動輪に装着され、かつ別々に前記伝動輪に伴い連動することにより前記表示面の任意の複数の前記暗証番号を指し示すことが可能である複数の指針と、
嵌合溝を別々に有し、かつ別々に同軸方向上、複数の前記伝動輪に連結されるため複数の前記伝動輪に伴い回転可能である複数のつめ車装置と、
を備え、複数の前記指針が正確な前記暗証番号を指し示し、前記係止部の前記嵌合部が前記つめ車装置の前記嵌合溝中に嵌め込まれる場合、前記ストッパーは前記係止部の制御を受けて前記掛け金の前記接続部から離れる方向に沿い移動することで前記掛け金の前記接続部を遮断することがなくなるため、前記掛け金の前記接続部は軸方向に沿い移動することが可能であり、また複数の前記指針が間違った前記暗証番号を指し示し、前記係止部の前記嵌合部と前記つめ車装置の前記嵌合溝とが分離する場合、前記ストッパーは前記係止部の制御を受けて前記掛け金の前記接続部の方向に沿い移動することで前記掛け金の前記接続部を遮断するため、前記掛け金の前記接続部は軸方向に沿い移動できなくなることを特徴とする指針式錠。
【請求項１２】
前記伝動輪は歯車と前記歯車に連結される軸部とを有し、複数の前記伝動輪の前記歯車は別々に複数の前記駆動輪と噛み合うように設けられ、複数の前記伝動輪の前記軸部は別々に前記ハウジングの前記表示面を貫通し、複数の前記指針に連結され、かつ前記伝動輪の前記軸部の一つが別の前記伝動輪の前記軸部に被せられるように設けられることを特徴とする請求項１１に記載の指針式錠。
【請求項１３】
前記掛け金は前記係止部に連結された前記ストッパーとは別のストッパーを有し、前記別のストッパーは前記接続部の底端に装着されるため前記係止部の前記ストッパーの遮断を受けることを特徴とする請求項１１に記載の指針式錠。
【請求項１４】
前記係止部は斜面溝を有し、前記斜面溝の頂端から前記掛け金の前記接続部までの距離は前記斜面溝の底端から前記掛け金の前記接続部までの距離より大きく、前記係止部の前記ストッパーは連結端と制止端を有し、前記連結端は前記係止部の前記斜面溝中に差し込まれ、前記係止部の前記斜面溝の両端の間を移動することにより、前記係止部の前記制止端を前記掛け金の前記接続部に接近させたり、離れさせたりすることが可能であることを特徴とする請求項１１に記載の指針式錠。
【請求項１５】
前記ハウジングの前記収容室に装着され、かつ別々に前記収容室の周壁と前記係止部に突き当たるばねを含むことを特徴とする請求項１１に記載の指針式錠。
【請求項１６】
前記指針式錠はさらに調整機構を有し、前記係止部は係止溝を有し、前記調整機構は前記ハウジングの前記収容室内に装着され、かつ前記係止部に向かい合いながら第一位置と第二位置との間を移動可能であり、前記調整機構が前記第一位置に据えられる場合、前記調整機構と前記係止部の前記係止溝とが分離し、前記調整機構が前記第二位置に据えられる場合、前記調整機構は前記係止部の前記係止溝に嵌め込まれることを特徴とする請求項１１に記載の指針式錠。
【請求項１７】
前記調整機構はスライドを有し、前記スライドは突出部を有し、前記調整機構が前記第一位置に据えられる場合、前記スライドの前記突出部と前記係止部の前記係止溝とが分離し、前記調整機構が前記第二位置に据えられる場合、前記スライドの前記突出部は前記係止部の前記係止溝に嵌め込まれることを特徴とする請求項１６に記載の指針式錠。
【請求項１８】
一端が前記ハウジングの底部に連結され、他端が湾曲して外部へ延伸されるベルトを含むことを特徴とする請求項１１に記載の指針式錠。
【請求項１９】
前記駆動輪の数は三つであり、前記伝動輪の数も三つであり、前記指針の数も三つであり、三つの前記伝動輪は別々に三つの前記駆動輪と噛み合い、かつ別々に三つの前記指針に連結されることを特徴とする請求項１１に記載の指針式錠。
【考案の詳細な説明】
【技術分野】
【０００１】
本考案は、ロックに関し、特に指針式錠に関する。
【背景技術】
【０００２】
市販のロックの種類は鍵で解錠するシリンダー錠と暗証番号で解錠するダイヤル錠とに分けられる。シリンダー錠の場合、鍵を鍵穴に差し込み、回すと解錠する。ダイヤル錠の場合、数字盤を正確な番号に回せば解錠できる。
使用者はロックを選ぶとき、主に盗難防止効果の良し悪しを考慮することが一般的である。シリンダー錠とダイヤル錠とを比べてみると、ダイヤル錠は数字盤の異なる数字の組み合わせによりシリンダー錠より良好な盗難防止効果を提供することが可能である。
【０００３】
しかし、ダイヤル錠の数字盤は通常三つか四つであり、数字の組み合わせの変化は限られているため、悪意のある人に解読されやすい。そのために数字盤の数字を増やせば暗証番号は長くなり、覚えにくくなるとともに、ダイヤル錠全体の構造はより複雑になり、全体の外観が限られ、変化に乏しくなる。
【考案の開示】
【考案が解決しようとする課題】
【０００４】
本考案の主な目的は良好な盗難防止効果を果たすことの可能な指針式錠を提供することである。
【課題を解決するための手段】
【０００５】
上述の目的を達成するために、本考案による指針式錠はハウジング、掛け金、係止機構と複数の指針を備える。ハウジングは収容室、収容室へと連続する第一孔、収容室へと連続する第二孔とハウジングの頂面に配置される表示面を有し、その表示面は複数の暗証番号を有する。掛け金は接続部とフック端部を有し、接続部は軸方向に沿い回転・移動しながらハウジングの第一孔を貫通し、ハウジングの収容室に入り込むように設けられ、フック端部はハウジングの第二孔を貫通するように設けられる。
【０００６】
係止機構はハウジングの収容室内に取り付けられ、かつ掛け金の接続部の軸方向移動を制御可能な駆動輪を複数有する。複数の指針はハウジングの表示面の上方に位置付けられ、係止機構の複数の駆動輪の制御をそれぞれ受けて別々に表示面の任意の、指針および駆動輪と同数の暗証番号を指し示すことが可能である。
【０００７】
複数の指針が指し示した暗証番号が正確である場合、係止機構の複数の駆動輪は掛け金の接続部を軸方向に沿い移動させ、掛け金のフック端部をハウジングの第二孔から分離させることにより指針式錠を解錠可能である。
【０００８】
（考案の効果）
使用の際、複数の指針を別々に設定した位置まで回すと本考案による指針式錠を開けることができるため、良好な盗難防止効果を果たせる。また指針により解錠が達成できさえすればよいため、本考案による指針式錠の形は腕時計、目覚まし時計、および時限爆弾などの形に設計することができる。従って、本考案による指針式錠は任意の対象物の施錠に使用した場合に人の注目を集めることができる。
【考案を実施するための最良の形態】
【０００９】
以下、本考案による一実施例を図面に基づいて説明する。
（一実施例）
図１から図３に示すように、本考案の一実施例による指針式錠１０はハウジング２０、掛け金３０、係止機構４０、第一指針５０、第二指針５２、第三指針５４と調整機構６０を備える。
ハウジング２０はキャップ２２と底２４とが合わさることにより形成され、かつキャップ２２と底２４の間に形成された収容室２０２、収容室２０２へと連続する第一孔２０４、収容室２０２へと連続する第二孔２０６を有する。またハウジング２０はキャップ２２の頂面に配置される表示面２６と表示面２６の上方に配置される透明なカバー２８とを有し、表示面２６は複数の暗証番号２６２を有する。本実施例では、暗証番号２６２はアラビア数字１から１２である。
【００１０】
掛け金３０は接続部３２、接続部３２の底端に連結されるストッパー３４と接続部３２に連結されるフック３６を有する。そのうち接続部３２はハウジング２０の第一孔２０４を貫通してハウジング２０の収容室２０２に入り込み、そして軸方向に沿いハウジング２０に向かい合いながら上下を移動し、かつ軸方向に沿い回転することが可能である。フック３６はフック端部３６２を有し、フック端部３６２はハウジング２０の第二孔２０６を貫通するように設けられる。
【００１１】
係止機構４０は係止部４１、ストッパー４２、三つの駆動輪４３ａから４３ｃ、第一伝動輪４４、第二伝動輪４５、第三伝動輪４６、三つのつめ車装置４７とばね４８を有する。
係止部４１はハウジング２０の収容室２０２内に取り付けられ、かつハウジング２０に向かい合いながら上下を移動可能である。
【００１２】
図２に示すように、係止部４１は底部に下向きに突出する三つの嵌合部４１２を有し、嵌合部４１２は上が広く下が狭い形を呈し、かつ二つの第一斜面４１４を有する。
図４に示すように、係止部４１は中心に近い位置に斜面溝４１６を有し、斜面溝４１６の頂端から掛け金３０の接続部３２までの距離は斜面溝４１６の底端から掛け金３０の接続部３２までの距離より大きい。また係止部４１は背面に係止溝４１８を有する。
【００１３】
ストッパー４２は連結端４２２と制止端４２４を有する。図６と図７に示すように、連結端４２２は係止部４１の斜面溝４１６に差し込まれ、係止部４１の斜面溝４１６の両端の間を移動することにより、係止部４１の制止端４２４を掛け金３０の接続部３２に接近させたり離れさせたりすることが可能である。
【００１４】
駆動輪４３から４３ｃは回転可能なようにハウジング２０の収容室２０２中に取り付けられ、かつその一部分が外部に露出する。駆動輪４３ａから４３ｃは周縁に１２個の歯４３２ａから４３２ｃをそれぞれ有する。
図２に示すように、第一伝動輪４４は第一歯車４４１と第一歯車４４１に連結される第一軸部４４３とを有する。
【００１５】
そのうち第一歯車４４１は駆動輪４３ａの歯４３２ａと噛み合うため、駆動輪４３ａは第一伝動輪４４を回転可能である。図５に示すように、第一軸部４４３はハウジング２０のキャップ２２を貫通し、ハウジング２０の表示面２６に突出するように設けられる。
【００１６】
図２に示すように、第二伝動輪４５は第二歯車４５２と第二歯車４５２に連結される第二軸部４５４とを有する。そのうち第二歯車４５２は駆動輪４３ｂの歯４３２ｂと噛み合うため、駆動輪４３ｂは第二伝動輪４５を回転可能である。図５に示すように、第二軸部４５４は同軸方向に沿い第一伝動輪４４の第一軸部４４３に被せられ、かつハウジング２０のキャップ２２を貫通し、ハウジング２０の表示面２６に突出するように設けられる。
【００１７】
また図５に示すように第二軸部４５４の長さは第一軸部４４３の長さより小さいため、第一軸部４４３の末端は第二軸部４５４の末端に突出する。
図２に示すように、第三伝動輪４６は第三歯車４６２と第三歯車４６２に連結される第三軸部４６４とを有する。そのうち第三歯車４６２は駆動輪４３ｃの歯４３２ｃと噛み合うため、駆動輪４３ｃは第三伝動輪４６を回転可能である。
【００１８】
図５に示すように、第三軸部４６４は同軸方向に沿い第二伝動輪４５の第二軸部４５４に被せられ、かつハウジング２０のキャップ２２を貫通し、ハウジング２０の表示面２６に突出するように設けられる。また図５に示すように第三軸部４６４の長さは第二軸部４５４の長さより小さいため、第二軸部４５４の末端は第三軸部４６４の末端に突出する。
【００１９】
図２に示すように、三つのつめ車装置４７は第一伝動輪４４の第一軸部４４３、第二伝動輪４５の第二軸部４５４と第三伝動輪４６の第三軸部４６４に別々に取り付けられるため、三つのつめ車装置４７はそれぞれ第一、第二、第三伝動輪４４、４５、４６に伴い回転可能である。つめ車装置４７は係止部４１の嵌合部４１２を嵌め込むための嵌合溝４７２を有し、つめ車装置４７の嵌合溝４７２は上が広く下が狭い形を呈し、かつ二つの第二斜面４７４を有し、第二斜面４７４は係止部４１の嵌合部４１２の第一斜面４１４に対応するように設けられる。
【００２０】
ばね４８は係止部４１を下に押す弾力を提供するために、ハウジング２０の収容室２０２の周壁と係止部４１に別々に突き当たるようにハウジング２０の収容室２０２内に取り付けられる。
図５に示すように、第一、第二、第三指針５０、５２、５４はそれぞれ第一、第二、第三伝動輪４４、４５、４６の第一、第二、第三軸部４４３、４５４、４６４の末端に取り付けられ、かつハウジング２０の表示面２６の上方に位置付けられるため、第一、第二、第三指針５０、５２、５４はそれぞれ第一、第二、第三駆動輪４４、４５、４６に伴い連動し、表示面２６の暗証番号２６２を別々に指し示すことが可能である。
【００２１】
図６に示すように、第一、第二、第三指針５０、５２、５４が正確な暗証番号２６２を指し示し、係止部４１の嵌合部４１２がつめ車装置４７の嵌合溝４７２に嵌め込まれる場合、ストッパー４２の連結端４２２は係止部４１の斜面溝４１６の頂端まで移動し、ストッパー４２の制止端４２４は掛け金３０のストッパー３４を遮断することがなくなるため、掛け金３０の接続部３２は軸方向に沿い移動可能であり、掛け金３０のフック端部３６２はハウジング２０の第二孔２０６から分離可能である。
【００２２】
図７に示すように、第一、第二、第三指針５０、５２、５４が間違った暗証番号２６２を指し示し、係止部４１の嵌合部４１２とつめ車装置４７の嵌合溝４７２とが離れている場合、ストッパー４２の連結端４２２は係止部４１の斜面溝４１６の底端まで移動し、ストッパー４２の制止端４２４は掛け金３０のストッパー３４を遮断するため、掛け金３０の接続部３２は軸方向に沿い移動できなくなり、掛け金３０のフック端部３６２はハウジング２０の第二孔２０６から分離できなくなる。
【００２３】
図２に示すように、調整機構６０はハウジング２０の収容室２０２中に取り付けられ、かつスライド６２と連動ユニット６４を有する。図８に示すように、スライド６２は連動ユニット６４に連結される突出部６２２を有し、スライド６２の底面はハウジング２０の底２４の底面に露出するため、スライド６２は外力作用により突出部６２２を介して連動ユニット６４を係止部４１に対応させながら第一位置と第二位置の間を移動させることが可能である。
【００２４】
図６に示すようにスライド６２が第一位置に据えられ、スライド６２の突出部６２２と係止部４１の係止溝４１８とが離れている場合、係止部４１を上に移動可能である。図９に示すようにスライド６２が第二位置に据えられ、スライド６２の突出部６２２が係止部４１の係止溝４１８に嵌め込まれる場合、係止部４１を上に移動できない。
【００２５】
本実施例による指針式錠を開ける方法を、暗証番号を２時５０分０秒に設定した場合を例に説明する。図３に示すように、まず駆動輪４３ｃを回す。この時、駆動輪４３ｃは第三伝動輪４６を介して第三指針５４を表示面２６の暗証番号２６２に示すアラビア数字２の位置まで回転させる。続いて駆動輪４３ｂを回す。この時、駆動輪４３ｂは第二伝動輪４５を介して第二指針５２を表示面２６の暗証番号２６２により示すアラビア数字１０の位置まで回転させる。
【００２６】
最後に駆動輪４３ａを回す。駆動輪４３ａは第一伝動輪４４を介して第一指針５０を表示面２６の暗証番号２６２に示すアラビア数字１２の位置まで回転させる。すると、図６に示すように係止部４１の嵌合部４１２はつめ車装置４７の嵌合溝４３２内に嵌め込まれ、ストッパー４２の連結端４２２は係止部４１の斜面溝４１６の頂端まで移動するため、ストッパー４２は掛け金３０の接続部３２から離れる方向に沿い移動し、ストッパー４２の制止端４２４と掛け金３０のストッパー３４とを分離させる。
【００２７】
この時、掛け金３０のフック３６を上向きに引いて掛け金３０のフック端３６２とハウジング２０の第二孔２０６とを分離させれば本実施例による指針式錠を開け、同時に掛け金３０の接続部３２を軸方向に沿い回転可能である。
【００２８】
本実施例による指針式錠を閉じる場合、まず掛け金３０のフック３６を押し、掛け金３０のフック端部３６２をハウジング２０の第二孔２０６に差し込む。続いて駆動輪４３ａから４３ｃを回すことによりつめ車装置４７を回転させる。この時、図７に示すようにつめ車装置４７の嵌合溝４７２はそのうちの一つの第二斜面４７４を介して係止部４１の嵌合部４１２の第一斜面４１４を上向きに押すことにより、係止部４１を上向きに移動させ、係止部４１の嵌合部４１２をつめ車装置４７の嵌合溝４７２から分離させる。
【００２９】
すると、ストッパー４２の連結端４２２は係止部４１の斜面溝４１６の底端まで移動し、同時にストッパー４２は掛け金３０の接続部３２に接近し、ストッパー４２の制止端４２４は掛け金３０のストッパー３４を遮断することにより掛け金３０の接続部３２の軸方向移動を阻止する。従って掛け金３０を解除することができなくなる。
【００３０】
本実施例による指針式錠の暗証番号を変更する場合、まず駆動輪４３ａから４３ｃを回し、第一、第二、第三指針５０、５２、５４を変更前の正しい暗証番号２６２まで回せば、係止部４１の嵌合部４１２がつめ車装置４７の嵌合溝４７２中に嵌め込まれる。続いて図８に示すようにスライド６２を第一位置から第二位置まで移動させれば、図９に示すようにスライド６２の突出部６２２が係止部４１の係止溝４１８中に嵌め込まれる。
【００３１】
続いて駆動輪４３ａから４３ｃを回すことにより第一、第二、第三伝動輪４４、４５、４６を回転させる。第一、第二、第三伝動輪４４、４５、４６が回転する際、係止部４１はスライド６２の突出部６２２から係止され、上へ移動できないため、つめ車装置４７は係止部４１を上向きに押せなくなる。また、つめ車装置４７の嵌合溝４７２は係止部４１の嵌合部４１２から係止されるため、第一、第二、第三伝動輪４４、４５、４６に伴い回転できない。
【００３２】
従って、駆動輪４３ａから４３ｃを回しても、第一、第二、第三伝動輪４４、４５、４６しか回転できない。この時、駆動輪４３ａから４３ｃの回転により第一、第二、第三指針５０、５２、５４を変更後の暗証番号まで回し、続いてスライド６２を第二位置から第一位置まで復元すれば番号変更の操作が完了する。
【００３３】
ここで強調したいのは、使用者の腕に容易に装着し、いつでも取り外せ、装飾品として使用するために、図１０に示すように、本実施例による指針式錠はハウジング２０の底端にベルト７０を設けられることである。
また本考案による指針式錠は第一、第二、第三指針を秒針、分針、時針などに見えるようにすることが可能である。つまり本考案全体の構造および外観などは腕時計の構造および外観などに類似するように設計可能である。
【００３４】
（その他の実施例）
以上、本考案の一実施例において駆動輪、伝動輪およびつめ車装置などの数がそれぞれ三つであり、表示面の暗証番号がアラビア数字である場合について説明したが、本考案の実施形態はこれに限られない。本考案は構造を多様化することができ、駆動輪、伝動輪およびつめ車装置などの数は三つに限らず、それらの間の数が互いに対応できさえすればよい。また表示面の暗証番号はアラビア数字に限らず、アルファベットまたは別の文字を採用することも可能であり、表示面の暗証番号の数と駆動輪の歯の数とが互いに対応できさえすればよい。
【図面の簡単な説明】
【００３５】
【図１】本考案の一実施例の立体図である。
【図２】本考案の一実施例の分解した状態を示す斜視図である。
【図３】本考案の一実施例の平面図である。
【図４】本考案の一実施例における底が外された後の状態を示す背面図である。
【図５】図４の５-５線に沿った断面図である。
【図６】本考案の一実施例の解錠後の状態を示す一部分の分解した状態を示す斜視図である。
【図７】本考案の一実施例の施錠後の状態を示す一部分の分解した状態を示す斜視図である。
【図８】本考案の一実施例におけるスライドが第二位置に据えられている状態を示す背面図である。
【図９】本考案の一実施例におけるスライドの突出部が係止部の係止溝に係合されている状態を示す一部分の分解した状態を示す斜視図である。
【図１０】本考案の一実施例にベルトを加えた後の状態を示す立体図である。
【符号の説明】
【００３６】
１０：指針式錠、２０：ハウジング、２０２：収容室、２０４：第一孔、２０６：第二孔、２２：キャップ、２４：底、２６：表示面、２６２：暗証番号、２８：カバー、３０：掛け金、３２：接続部、３４：ストッパー、３６：フック、３６２：フック端部、４０：係止機構、４１：係止部、４１２：嵌合部、４１４：第一斜面、４１６：斜面溝、４１８：係止溝、４２：ストッパー、４２２：連結端、４２４：制止端、４３ａ、４３ｂ、４３ｃ：駆動輪、４３２ａ、４３２ｂ、４３２ｃ：歯、４４：第一伝動輪、４４１：第一歯車、４４３：第一軸部、４５：第二伝動輪、４５２：第二歯車、４５４：第二軸部、４６：第三伝動輪、４６２：第三歯車、４６４：第三軸部、４７：つめ車装置、４７２：嵌合溝、４８：ばね、５０：第一指針、５２：第二指針、５４：第三指針、６０：調整機構、６２：スライド、６２２：突出部、６４：連動ユニット、７０：ベルト
【図１】
0003139599.tif 000003
【図２】
0003139599.tif 000004
【図３】
0003139599.tif 000005
【図４】
0003139599.tif 000006
【図５】
0003139599.tif 000007
【図６】
0003139599.tif 000008
【図７】
0003139599.tif 000009
【図８】
0003139599.tif 000010
【図９】
0003139599.tif 000011
【図１０】
0003139599.tif 000012